【手続補正書】
【提出日】平成28年1月7日(2016.1.7)
【手続補正１】
【補正対象書類名】明細書
【補正対象項目名】０００４
【補正方法】変更
【補正の内容】
【０００４】
設計規則が縮小するのに（２８ｎｍ及びそれより小さく）伴って、高感度検査ツールによって報告される欠陥関連データの量は非常に多くなる（例えば、ウェハ当たり数千の欠陥）。さらに、新しい製造プロセス（例えば、浸漬リソグラフィ、レジスト・シュリンク、レジスト・トリミング等）の採用により、異なる近接効果（光学的、ＣＭＰ、化学的、３Ｄ等）の結果生じる新しい種類のエラーが発生し、それらは、検査ツールによって欠陥として報告される。報告される欠陥の重大度は、製品収率に対する壊滅的影響から製品品質に影響しない些細な異常まで異なり得る。
【手続補正２】
【補正対象書類名】明細書
【補正対象項目名】０００７
【補正方法】変更
【補正の内容】
【０００７】
本開示主題の他の態様により、試料の生成層上に検出された欠陥を分類することができる検査システムが提供される。この検査システムは、少なくとも１つの検査ツール及び設計データ格納ユニットと動作可能に結合された分類ユニットを備え、該分類ユニットは、少なくとも１つの検査ツールから欠陥表示データを取得するように構成された欠陥データ・インターフェースと、設計データ格納ユニットから設計表示データを取得するように構成された設計データ・インターフェースと、最終的に分類された欠陥を格納するように構成されたメモリと、生成層に関連する決定アルゴリズムを用いて欠陥表示データ及び設計表示データを処理し、２つ又はそれ以上の分類操作及びその順序を特定するように構成され、処理された欠陥を事前定義ビンに従って分類するようにさらに構成されたプロセッサと、を含む。各ビンは、少なくとも１つの分類操作と関連付けられ、少なくとも１つの分類操作は、処理された欠陥の少なくとも部分を１つ又はそれ以上のビンに選別して最終的に分類された欠陥をもたらし、各分類操作は、最後の分類操作を除いて、処理された欠陥の少なくとも部分を１つ又はそれ以上の次の分類操作によって処理されるように選別する。
【手続補正３】
【補正対象書類名】明細書
【補正対象項目名】００１４
【補正方法】変更
【補正の内容】
【００１４】
【図１】本発明の特定の実施形態による、試料製造の例示的なワークフローを示す。
【図２】本開示主題の特定の実施形態による、検査システムの概略的な機能図を示す。
【図３】本開示主題の特定の実施形態による、欠陥のコンピュータ化された分類の一般化されたフローチャートを示す。
【図４】本開示主題の特定の実施形態による、欠陥のコンピュータ化された分類に対して生成される決定ツリー・テンプレートの非限定的な例の概略を示す。
【図５】図４のテンプレートによって定義される決定ツリーを構文解析することから得られる操作順序表の非限定的な例を示す。
【図６】本開示主題の特定の実施形態による、欠陥のコンピュータ化された分類に対して生成される決定ツリー・テンプレートの別の非限定的な例の概略を含むスクリーンショットを示す。
【図７】本開示主題の特定の実施形態による、決定アルゴリズムのコンピュータ化された生成の一般化されたフローチャートを示す。
【手続補正４】
【補正対象書類名】明細書
【補正対象項目名】００２７
【補正方法】変更
【補正の内容】
【００２７】
本明細書で用いられる「設計データ」という用語は、試料の階層的物理設計（レイアウト）を示す任意のデータ及び／又は物理設計から導出される（例えば、複雑なシミュレーション、幾何学的及びブール演算などによる）データを含むように広く解釈すべきである。設計データは、非限定的な例として、ＧＤＳＩＩ形式、ＯＡＳＩＳ形式などの異なる形式で与えることができる。設計データは、特定の設計の構造的要素を指定する。構造的要素は、他の構造的要素の挿入と随意的に組み合わせられた幾何学的形状で構築することができる。非限定的な例として、所与の構造的要素は、ＧＤＳＩＩ形式におけるＳＲＥＦ、ＡＲＥＦ指示によって挿入された１つ又はそれ以上のＳＴＲＵＣＴＵＲＥ要素を含むことができ、又は、ＰＬＡＣＥＭＥＮＴ及びＲＥＰＥＴＩＴＩＯＮ（ＯＡＳＩＳ形式）により挿入された１つ又はそれ以上のＣＥＬＬ要素を含むことができる。
【手続補正５】
【補正対象書類名】明細書
【補正対象項目名】００３５
【補正方法】変更
【補正の内容】
【００３５】
分類ユニットは、関心のある生成層に関連し、かつ、現れた欠陥に関連する取得入力データを、取得した決定アルゴリズムを用いてさらに処理する（３０３）。本開示主題の特定の実施形態によると、決定アルゴリズムは、関心のある生成層に対して、分類操作の順序を予め定め、欠陥を事前定義のビンに選別する。各々の分類操作を、各々が事前定義されたタイプのビンである、１つ又はそれ以上の事前定義ビンと関連付けることができる。事前定義ビンのタイプは、１）現在の分類操作により最終的に分類され、従って、さらなる処理から除去された欠陥に対応する分類ビン、２）現在の分類操作によって分類されないが、決定アルゴリズムにより定義された分類操作に適合しない（例えば、ダイ−ダイ欠陥の分類のみの専用の決定アルゴリズムにおけるセル−セル欠陥）ため、さらなる処理（３０３）から除去された欠陥に対応するビン、３）現在の操作により、事前定義のさらなる分類操作に対して指定され、従って、こうした事前定義の分類操作が実行されるときに処理されるものと認識された欠陥に対応するビン、及び、４）現在の分類操作により、次の分類操作のうちの１つに対して指定され、各々の次の分類操作によってさらに分類されるまで処理されるものと認識された欠陥に対応するビン、のうちの１つのタイプとして選択することができる。
【手続補正６】
【補正対象書類名】明細書
【補正対象項目名】００４２
【補正方法】変更
【補正の内容】
【００４２】
操作の順序及びそのビンは、各々の次の分類操作に必要な入力データソースの量を増やすことによって、さらに定義することができる。非限定的な例として、単に欠陥属性に基づく分類操作の次に、欠陥属性及び欠陥画像に基づく分類操作を行うことができ、さらに、パターン・ライブラリ及び／又は他のＣＡＤデータを必要とする分類操作を行うことができ、さらに、加えてＤＲＣ分析などを必要とする分類操作を行うことができる。代替的に又は付加的に、分類操作の順序は、分類処理に対して必要な欠陥の数によって定めることができる。非限定的な例として、分類決定に対して多数の欠陥が処理されることを必要とする操作（例えば、統計に基づく分類）は、より少ない欠陥を必要とする操作（例えば、欠陥属性に基づく分類）に先行することができる。別の非限定的な例として、分類決定に対して多数の欠陥が処理されることを必要とする分類操作を、分類プロセスの最後に行うことができ、一方、先行する分類操作は、適当な欠陥を、こうした分類操作による処理に対して指定されたビンに選別することができる（随意的に、それらの欠陥をそれぞれの分類ビンに選別することに加えて、特定の欠陥をこうした操作に対して選別することができる）。
【手続補正７】
【補正対象書類名】明細書
【補正対象項目名】００４４
【補正方法】変更
【補正の内容】
【００４４】
非限定的な例として、分類操作の順序及びそれらのビンは、決定ツリー・テンプレートを用いて事前定義することができる。図４は、本開示主題の特定の実施形態による、コンピュータによる欠陥分類のために生成された決定ツリー・テンプレートの非限定的な実施例の概略を示す。
【手続補正８】
【補正対象書類名】明細書
【補正対象項目名】００４５
【補正方法】変更
【補正の内容】
【００４５】
図示される決定ツリーはまた、関心のある生成層毎に設定されたテンプレート決定ツリーに基づいた、より一般的な分類／選別レシピの一部分とすることができる。分類操作４０１によって処理される欠陥は、欠陥サイズ及び形状属性、欠陥画像、符号解析などを用いた前の分類処理によって分類されなかった欠陥であるとすることができる。
図示される決定ツリーにおける分類操作は、設計ベースの属性を用いて行われる。
随意的に、分類ユニットは、分類操作の前に、処理する欠陥の各々に関するＣＡＤ属性を計算する。
【手続補正９】
【補正対象書類名】明細書
【補正対象項目名】００４６
【補正方法】変更
【補正の内容】
【００４６】
分類操作４０１（ライブラリ整合操作）中、各々の欠陥は、その近傍と事前定義ライブラリ・パターンのいずれかとの整合について分析される。そうした整合が生じる場合、その欠陥は分類ビン４１０〜４１１のうちの１つに分類される。仮に整合が生じないと、その欠陥は分類操作４０２によるさらなる処理のために選別される。
【手続補正１０】
【補正対象書類名】明細書
【補正対象項目名】００５０
【補正方法】変更
【補正の内容】
【００５０】
非限定的な例として、図示される決定ツリーに従った決定アルゴリズムは以下のように実行することができる。
−検査走査中に、分類ユニットによってＣＡＤベースの属性を計算することができる、  −ランタイム・クリップ・サーバを介してクリップを分類ユニットにインポートすることができる
−検査走査中に、ＣＤＡ、ＤＲＣ及びライブラリ整合計算を行うことができる
−検査走査が完了する際に、サンプリングのためのＤＢＢを行うことができる。
【手続補正１１】
【補正対象書類名】明細書
【補正対象項目名】００５２
【補正方法】変更
【補正の内容】
【００５２】
図５は、図４のテンプレートによって定義された決定ツリーの構文解析から得られる操作シーケンス表の非限定的な例示す。開始時に、各欠陥は初期分類コード（例えば１０）によって初期化される。ＳｔｅｐKは、「入力分類コード」の列に従って、分類コードを有する欠陥を収集するステップと、入力パラメータを取得するステップと、ＳｔｅｐKで収集された欠陥並びに入力欠陥のそれぞれの更新分類コードに対して分類アルゴリズム（列「アルゴリズム」）を実行するステップとを含み、その後、ＳｔｅｐK+1に進む。
【手続補正１２】
【補正対象書類名】明細書
【補正対象項目名】００５３
【補正方法】変更
【補正の内容】
【００５３】
図６は、決定ツリー・テンプレート６００の別の非限定的な概略的な例、及び表６０９で特定された事前定義ビンへの欠陥分類のそれぞれの結果６０８を含むスクリーンショットを示す。図示される決定ツリー・テンプレートにおいて、クラスタ化分類操作６０１がそれぞれの欠陥をフィルタ処理してビン「クラスタ」に入れる。次の分類操作６０２は、セル−セル欠陥をフィルタ処理してビン「Ｃ２Ｃ」に入れる。残りの欠陥は、欠陥を「ライブラリに保持」ビンに分類する、又は、設計属性による分類と組み合わせられた設計ルール・チェックを行う操作６０４（ＤＲＣ＋ＣＤＡ）に対して選別する、ライブラリ整合操作６０３によって処理される。操作６０４は、処理された欠陥を、操作６０５により処理される欠陥と、操作６０６により処理される欠陥とに選別する。仮に操作６０５により処理された欠陥がサイズ基準を満たすと、それらは「ＤＲＣ」分類ビンに選別される。そうでない場合には、欠陥は操作６０６により処理されるように選別される。ライブラリ整合操作６０６は、操作６０４及び６０５によって選別された欠陥を処理し、整合する欠陥を分類ビン「ライブラリによりフィルタ処理済」に分類する。残りの欠陥はビン「その他」に選別される。
【手続補正１３】
【補正対象書類名】明細書
【補正対象項目名】００５５
【補正方法】変更
【補正の内容】
【００５５】
図７は、本開示主題の特定の実施形態による、決定アルゴリズムのコンピュータ化された生成の一般化されたフローチャートを示す。関心のある生成層に対する決定アルゴリズムは、エンジニアリング・ステーション２３０で生成することができる。ユーザは、分類処理中に用いられるＣＡＤ属性を設定することができる（７０２）。ＣＡＤ属性の設定は、ＣＡＤ層の選択（例えば、ＣＡＤ層のリストは、関心のある生成層で可視のＣＡＤ層、前の生成層に対応するＣＡＤ層、ＣＡＤ標識層などを含むことができる）、ライブラリ整合操作、設計ルール・チェック等に対するＣＡＤパターンの選択及び／又は生成を含むことができる。ユーザはさらに、ビンを事前定義し、分類操作、それらの順序を設定し（７０３）、ビンを分類操作に関連付けることができる。エンジニアリング・ステーションは、ユーザの設定に従って、自動的に決定アルゴリズムを生成する（７０４）。エンジニアリング・ステーションはさらに、検査ツールから、分類された欠陥（例えば、ＤＯＩ、偽欠陥及び邪魔欠陥として）を伴う検査結果（例えば、欠陥ファイル）を取得する（７０１）ことができる。検査ツールから受け取ったこれらのデータは、生成された決定アルゴリズムを検証する（７０５）ため、及び必要があればユーザの設定を調整するために用いることができる。